【手続補正書】
【提出日】平成22年3月4日(2010.3.4)
【手続補正１】
【補正対象書類名】特許請求の範囲
【補正対象項目名】全文
【補正方法】変更
【補正の内容】
【特許請求の範囲】
【請求項１】
ネットワークシステムにおいて文書処理を制御する方法であって、前記ネットワークシステムは：
ユーザの処理ジョブを提出するための少なくとも１つのユーザワークステーション；
前記処理ジョブを記憶するメモリユニットであって、前記メモリユニットは複数の論理記憶空間において前記処理ジョブを管理するために備えられている、メモリユニット；及び
文書処理のためのデジタル画像再生装置であって、該デジタル画像再生装置は、前記複数の論理記憶空間の何れかに記憶されている複数の処理ジョブを制御するローカルユーザインターフェースユニットを有し、論理記憶空間に記憶されている処理ジョブは、前記ユーザインターフェースユニットを介して選択されて開始されていない場合には、自動的に実行されない、デジタル画像再生装置；
を有する方法であり、
複数の処理ジョブを受信し、前記メモリユニットの適切な論理記憶空間に前記複数の処理ジョブを記憶する段階；
前記ユーザインターフェースユニットにおいて、前記複数の論理記憶空間の何れかに記憶されている前記複数の処理ジョブから処理ジョブをユーザが選択するための制御要素を備える段階；及び
前記デジタル画像再生装置において文書を処理することにより選択された処理ジョブの実行をユーザが命令する複数の制御要素を備える段階；
を有する方法であり、前記方法は：
キックスタート基準に基づいて、所謂、キックスタート処理ジョブとして前記メモリユニットにおける少なくとも１つの最近受信した処理ジョブを自動的に特定する段階；
前記ユーザインターフェースユニットにおいて、それぞれのキックスタート処理ジョブの直接実行を命令するために、前記それぞれのキックスタート処理ジョブに結合された少なくとも１つの別個のキックスタート制御要素を動的に備える段階；及び
前記それぞれのキックスタート制御要素がユーザにより活性化されたとき、前記デジタル画像再生装置においてキックスタート処理ジョブを開始する段階；
を有することを特徴とする方法。
【請求項２】
請求項１に記載の方法であって、前記キックスタート処理ジョブを開始する前記段階は：
当該キックスタート処理ジョブを有する前記論理記憶空間にアクセスする段階；
前記開始されたキックスタート処理ジョブを実行する段階；及び
前記それぞれの論理記憶空間から前記開始されたキックスタート処理ジョブを削除する段階；
を有する、方法。
【請求項３】
請求項１に記載の方法であって、前記キックスタート処理ジョブはスキャンジョブであり、前記キックスタート処理ジョブを開始する前記段階は：
前記開始されたキックスタート処理ジョブを実行する段階；及び
前記開始されたキックスタート処理ジョブにしたがって、前記論理記憶空間のそれぞれの一においてデジタル文書を記憶する段階；
を有する、方法。
【請求項４】
請求項１又は２に記載の方法であって、前記メモリユニットは、前記処理ジョブについての論理記憶空間の動的集合を管理するために備えられ、各々の記憶空間は前記システムのそれぞれのユーザに対して専用化され、前記キックスタート処理ジョブを開始する前記段階は、前記ユーザインターフェースにおいて、前記開始されたキックスタート処理ジョブを有する前記それぞれの論理記憶空間を操作するためにメールボックスインターフェースを備える段階を有する、方法。
【請求項５】
請求項１に記載の方法であって、キックスタート制御要素を備える前記段階は、関連キックスタート処理ジョブを提出した前記ユーザのユーザコード及び／又はジョブ名及び／又は個人的画像を表示するように前記キックスタート制御要素を構成する段階を有する、方法。
【請求項６】
請求項１に記載の方法であって、更なる処理ジョブが実行される、遮断基準に依存するとき、前記キックスタート処理ジョブを開始する前記段階は：
実行される前記更なる処理ジョブを遮断し、前記開始されたキックスタート処理ジョブを実行し、そして前記更なる処理ジョブを継続する段階；及び
実行されている前記更なる処理ジョブと共にインターリーブモードで前記開始されたキックスタート処理ジョブを実行する段階；
の何れかの一を有する、方法。
【請求項７】
請求項１に記載の方法であって、キックスタート処理ジョブを特定する前記段階で用いられるキックスタート基準は、処理ジョブが提出された後であって、関連キックスタート制御要素が前記ユーザインターフェースユニットに備えられる前に、所定の時間期間の終了を待つ段階を有する、方法。
【請求項８】
請求項１に記載の方法であって、キックスタート処理ジョブを特定する前記段階で用いられるキックスタート基準は、予めプログラムされた最大値に前記ユーザインターフェースユニットに備えられるようになっている複数のキックスタート制御要素の数を制限する段階を有する、方法。
【請求項９】
請求項８に記載の方法であって、少なくとも１つのキックスタート制御要素を備える前記段階は：
最近受信されたキックスタート処理ジョブにより置き換えられるようになっているキックスタート処理ジョブに結合されているキックスタート制御要素を取り除く段階；並びに
前記キックスタート制御要素を次第になくしていくこと、
表示領域の境界を横断して前記キックスタート制御要素を次第に移動させること、及び
前記キックスタート制御要素の色を次第に変化させること、
の少なくとも一による特定の場合に、前記キックスタート処理ジョブの置き換えが差し迫っていることを示す段階；
を有する、方法。
【請求項１０】
請求項１乃至９の何れか一項に記載の方法であって：
少なくとも１つのキックスタートユーザプロファイルを備える段階；及び
前記キックスタートユーザプロファイルにおいて規定されたプロファイル基準に応じて前記方法の前記複数の段階の１つ又はそれ以上を実行する段階；
を有する方法。
【請求項１１】
請求項１０に記載の方法であって、前記キックスタートユーザプロファイルはユーザが構成可能である、方法。
【請求項１２】
ネットワークシステムで用いる文書処理のためのデジタル画像再生装置であって、前記ネットワークシステムは：
ユーザの処理ジョブを提出する少なくとも１つのユーザワークステーション；
前記処理ジョブを記憶するメモリユニットであって、前記メモリユニットは複数の論理記憶空間において前記処理ジョブを管理するために備えられている、メモリユニット；並びに
管理ユニットであって、
複数の処理ジョブを受信し、該複数の処理ジョブを実行することなく、前記メモリユニットの適切な論理記憶空間に前記複数の処理ジョブを記憶し、
前記ユーザインターフェースユニットにおいて、前記複数の論理記憶空間の何れかにおいて前記複数の前記処理ジョブから処理ジョブをユーザが選択するように複数の制御要素を備え、そして
前記ユーザインターフェースユニットを介して、選択コマンド及び続く実行コマンドのみに応じて、前記デジタル画像再生装置において複数の文書を処理することにより処理ジョブを実行する、
ように備えられている、管理ユニット；
を有する、デジタル画像再生装置であり、
前記デジタル画像再生装置は、前記複数の論理記憶空間の何れかに記憶されている前記処理ジョブを制御するローカルユーザインターフェースユニットを有し；
前記管理ユニットは、
キックスタート基準に基づいて、所謂、キックスタート処理ジョブとして前記メモリユニットにおいて少なくとも１つの最近受信された処理ジョブを自動的に特定し、
前記ユーザインターフェースユニットにおいて、それぞれのキックスタート処理ジョブの直接実行を命令するために前記それぞれのキックスタート処理ジョブに結合された少なくとも１つの別個のキックスタート制御要素を動的に備え、そして
前記それぞれのキックスタート制御要素がユーザにより活性化されたときに、前記デジタル画像再生装置においてキックスタート処理ジョブを開始する、
ために更に備えられている；
ことを特徴とするデジタル画像再生装置。
【請求項１３】
請求項１２に記載のデジタル画像再生装置であって、前記メモリユニットの少なくとも一部を有する、デジタル画像再生装置。
【請求項１４】
請求項１２に記載のデジタル画像再生装置であって、前記管理は、予めプログラムされた最大値に前記ユーザインターフェースユニットに備えられている複数のキックスタート制御要素の数を制限するために備えられている、方法。
【請求項１５】
請求項１２に記載のデジタル画像再生装置であって、前記管理ユニットは、関連キックスタート処理ジョブを提出した前記ユーザのユーザコード及び／又はジョブ名及び／又は個人的画像を表示するようにキックスタート制御要素を構成するために備えられている、方法。
【請求項１６】
請求項１２に記載のデジタル画像再生装置であって、前記デジタル画像再生装置はプリンタユニットを有し、前記管理ユニットは、前記開始されたキックスタート処理ジョブでプリントジョブを検出し、前記プリンタユニットを介して前記プリントジョブを実行するように備えられている、デジタル画像再生装置。
【請求項１７】
請求項１２に記載のデジタル画像再生装置であって、前記デジタル画像再生装置はスキャナユニットを有し、前記管理ユニットは、前記開始されたキックスタート処理ジョブにおいてスキャンジョブを検出し、前記スキャナユニットに入力された物理文書をスキャンすることにより前記スキャンジョブを実行し、そして前記開始されたキックスタート処理ジョブにしたがって前記論理記憶空間のスキャンで生成された画像ファイルを記憶するように備えられている、デジタル画像再生装置。